(57)【要約】【課題】本発明は手持ちと固定可能なデュアルモードファンを開示した。【解決手段】ファンヘッドを含み、前記ファンヘッドの中には作業チャンバが設けられ、前記作業チャンバの中にはファン装置が設けられ、前記ファン装置は羽根を含み、前記ファン装置は回転により風力を発生させ、前記ファン装置の中には更に動力機構が設けられ、前記ファンヘッドの下端にはサポートロッドが設けられ、前記サポートロッドの下端には伸縮ブロックが設けられ、前記伸縮ブロックの中には駆動スライド溝が設けられ、前記駆動スライド溝は前記サポートロッドとスライドできるように連結され、前記駆動スライド溝の中には回転装置が設けられ、前記回転装置は前記サポートロッドと前記ファンヘッドの方向を調整することができ、前記回転装置の中にはスライド機構が設けられている。【選択図】図１
2020176615.tif 000002
【特許請求の範囲】
【請求項１】
ファンヘッドを含み、前記ファンヘッドの中には作業チャンバが設けられ、前記作業チャンバの中にはファン装置が設けられ、前記ファン装置は羽根を含み、前記ファン装置は回転により風力を発生させ、前記ファン装置の中には更に動力機構が設けられ、前記ファンヘッドの下端にはサポートロッドが設けられ、前記サポートロッドの下端には伸縮ブロックが設けられ、前記伸縮ブロックの中には駆動スライド溝が設けられ、前記駆動スライド溝は前記サポートロッドとスライドできるように連結され、前記駆動スライド溝の中には回転装置が設けられ、前記回転装置は前記サポートロッドと前記ファンヘッドの方向を調整することができ、前記回転装置の中にはスライド機構が設けられ、前記駆動スライド溝の左右両端には位置制限溝が対称的に設けられ、前記位置制限溝の下端には調整チャンバが左右に対称的に設けられ、前記伸縮ブロックの下端面には取り付けブロックが前後に対称的に設けられ、前記取り付けブロックの中には挟み板がが左右に対称的に設けられ、各前記挟み板の中にはそれぞれスタンド溝が設けられ、前記スタンド溝の中には固定装置が設けられ、前記固定装置はスタンドロッドを含み、前記固定装置が前記ファンヘッドを座席または帽子に固定でき、前記固定装置にはサポート機構が設けられ、前記スタンド溝の左右両端にはスタンドスライド溝が対称的に設けられることを特徴とする手持ちと固定可能なデュアルモードファン。
【請求項２】
前記ファン装置において前記動力機構にはモータブロックが設けられ、前記モータブロックの四隅がそれぞれ前記作業チャンバの端壁と固定的に連結され、前記モータブロックにはモータが設けられ、前記モータの前端には羽根軸が伝動できるように連結され、前記羽根軸の前端の上下が対称的な前記羽根と固定的に連結し、前記作業チャンバの前端壁には通気板が設けられ、前記モータを開けて前記羽根軸によって前記羽根を回転連動させることを特徴とする請求項１に記載の手持ちと固定可能なデュアルモードファン。
【請求項３】
前記回転装置において前記スライド機構には駆動ブロックが設けられ、前記駆動ブロックが前記駆動スライド溝とスライドできるように連結され、前記駆動ブロックの下端にはスロットが設けられ、前記駆動ブロックの上端には回転ブロックが設けられ、前記回転ブロックの外周にはゴムワッシャーが設けられ、前記サポートロッドの下端面には回転ブロック溝が設けられ、前記回転ブロック溝が前記回転ブロックおよび前記ゴムワッシャーとスライドできるように連結され、前記駆動スライド溝の左右両端には位置制限溝が対称的に設けられ、前記駆動ブロックの左右両端には前記位置制限溝とスライドできるように連結される短軸が対称的に設けられ、前記短軸の外周には位置制限ブロックがスライドできるように連結され、前記位置制限ブロックの上端面と前記位置制限溝との間には位置制限バネが連結され、前記駆動スライド溝の上端壁にはが設けられ、前記の後端壁には差し込みブロックスライド溝が設けられ、前記差し込みブロックスライド溝の下端壁には復帰溝が設けられ、前記差し込みブロックスライド溝の中には差し込みブロックがスライドできるように連結され、前記差し込みブロックの後端にはプルリングが設けられ、前記差し込みブロックの前端は前記スロットとスライドできるように連結されることができ、前記差し込みブロックの下端面には前記復帰溝とスライドできるように連結される復帰ブロックが設けられ、前記復帰ブロックと前記復帰溝との間には復帰バネが連結され、前記サポートロッドを引き上げ、次に前記サポートロッドを前方に引張り、同時に前記プルリングによって前記差し込みブロックを後方に引張り、次に前記プルリングを放し、前記差し込みブロックを前記スロットの中にひっかからせ、次にサポートロッドを回転させて角度を調整することを特徴とする請求項１に記載の手持ちと固定可能なデュアルモードファン。
【請求項４】
前記固定装置において前記サポート機構にはカム軸が設けられ、前記カム軸は前記調整チャンバの左右端壁および前記伸縮ブロックの右端面とスライドできるように連結され、前記カム軸の右端には手動回しブロックが設けられ、前記カム軸において前記調整チャンバの中にはカムが左右に対称的に設けられ、前記サポート機構の中には連動機構が設けられ、前記連動機構が全部で二つ設けられ、右側を例として説明し、前記連動機構はトーションバネ軸を含み、前記トーションバネ軸は前後二つの前記取り付けブロックと回転できるように連結され、前記トーションバネ軸にはトーションバネが設けられ、前記トーションバネには挟み板が設けられ、前記挟み板の左端面にはスポンジパッドが設けられ、前記挟み板の上端には前記カムと協力できる三つの等距離ブロックが設けられ、前記挟み板の中には前記スタンド溝が設けられ、前記スタンド溝の左右両端にはスタンドスライド溝が対称的に設けられ、前記スタンド板は前記スタンドスライド溝とスライドできるように連結され、前記スタンド板の上端面と前記スタンド溝の上端壁との間にはスタンドバネが連結され、前記スタンド板の下端には前記スタンド溝とスライドできるように連結されるスタンドロッドが設けられ、前記スタンドロッドの中には手動つかみ孔が設けられ、前記スタンドスライド溝の右端壁には送りねじがねじ山による連結され、前記送りねじの右端には回転つまみが設けられ、前記回転つまみを回転させ、前記送りねじを連動させて右に移動させ、前記スタンドロッドを飛び出させることを特徴とする請求項１に記載の手持ちと固定可能なデュアルモードファン。
【発明の詳細な説明】
【技術分野】
【０００１】
本発明は小型家電分野を取り上げて、具体的には手持ちと固定可能なデュアルモードファンである。
【背景技術】
【０００２】
現在、暑い夏の日に出かけるとき、人々はしばしば自分自身の温度を下げるために小さなファンを携帯する必要があり、だだし、伝統的な小型ファンの使用モードが単一で、手でしか持てなく、座って休むとき、ファンを固定することができなく、使い勝手が悪く、そして歩いている間、時々ファンを手で握ることが不便である。
【先行技術文献】
【特許文献】
【０００３】
【特許文献１】中国特許出願公開第１０８５９１１００号明細書
【発明の概要】
【発明が解決しようとする課題】
【０００４】
本発明の目的は手持ちと固定可能なデュアルモードファンを提供し、それは上記の現在の技術中の問題を解決できる。
【課題を解決するための手段】
【０００５】
本発明は以下の技術プランを通じて実現する：本発明の手持ちと固定可能なデュアルモードファンは、ファンヘッドを含み、前記ファンヘッドの中には作業チャンバが設けられ、前記作業チャンバの中にはファン装置が設けられ、前記ファン装置は羽根を含み、前記ファン装置は回転により風力を発生させ、前記ファン装置の中には更に動力機構が設けられ、前記ファンヘッドの下端にはサポートロッドが設けられ、前記サポートロッドの下端には伸縮ブロックが設けられ、前記伸縮ブロックの中には駆動スライド溝が設けられ、前記駆動スライド溝は前記サポートロッドとスライドできるように連結され、前記駆動スライド溝の中には回転装置が設けられ、前記回転装置は前記サポートロッドと前記ファンヘッドの方向を調整することができ、前記回転装置の中にはスライド機構が設けられ、前記駆動スライド溝の左右両端には位置制限溝が対称的に設けられ、前記位置制限溝の下端には調整チャンバが左右に対称的に設けられ、前記伸縮ブロックの下端面には取り付けブロックが前後に対称的に設けられ、前記取り付けブロックの中には挟み板がが左右に対称的に設けられ、各前記挟み板の中にはそれぞれスタンド溝が設けられ、前記スタンド溝の中には固定装置が設けられ、前記固定装置はスタンドロッドを含み、前記固定装置が前記ファンヘッドを座席または帽子に固定でき、前記固定装置にはサポート機構が設けられ、前記スタンド溝の左右両端にはスタンドスライド溝が対称的に設けられる。
【０００６】
優選的には、前記ファン装置において前記動力機構にはモータブロックが設けられ、前記モータブロックの四隅がそれぞれ前記作業チャンバの端壁と固定的に連結され、前記モータブロックにはモータが設けられ、前記モータの前端には羽根軸が伝動できるように連結され、前記羽根軸の前端の上下が対称的な前記羽根と固定的に連結し、前記作業チャンバの前端壁には通気板が設けられ、前記モータを開けて前記羽根軸によって前記羽根を回転連動させる。
【０００７】
優選的には、前記回転装置において前記スライド機構には駆動ブロックが設けられ、前記駆動ブロックが前記駆動スライド溝とスライドできるように連結され、前記駆動ブロックの下端にはスロットが設けられ、前記駆動ブロックの上端には回転ブロックが設けられ、前記回転ブロックの外周にはゴムワッシャーが設けられ、前記サポートロッドの下端面には回転ブロック溝が設けられ、前記回転ブロック溝が前記回転ブロックおよび前記ゴムワッシャーとスライドできるように連結され、前記駆動スライド溝の左右両端には位置制限溝が対称的に設けられ、前記駆動ブロックの左右両端には前記位置制限溝とスライドできるように連結される短軸が対称的に設けられ、前記短軸の外周には位置制限ブロックがスライドできるように連結され、前記位置制限ブロックの上端面と前記位置制限溝との間には位置制限バネが連結され、前記駆動スライド溝の上端壁にはが設けられ、前記の後端壁には差し込みブロックスライド溝が設けられ、前記差し込みブロックスライド溝の下端壁には復帰溝が設けられ、前記差し込みブロックスライド溝の中には差し込みブロックがスライドできるように連結され、前記差し込みブロックの後端にはプルリングが設けられ、前記差し込みブロックの前端は前記スロットとスライドできるように連結されることができ、前記差し込みブロックの下端面には前記復帰溝とスライドできるように連結される復帰ブロックが設けられ、前記復帰ブロックと前記復帰溝との間には復帰バネが連結され、前記サポートロッドを引き上げ、次に前記サポートロッドを前方に引張り、同時に前記プルリングによって前記差し込みブロックを後方に引張り、次に前記プルリングを放し、前記差し込みブロックを前記スロットの中にひっかからせ、次にサポートロッドを回転させて角度を調整する。
【０００８】
優選的には、前記固定装置において前記サポート機構にはカム軸が設けられ、前記カム軸は前記調整チャンバの左右端壁および前記伸縮ブロックの右端面とスライドできるように連結され、前記カム軸の右端には手動回しブロックが設けられ、前記カム軸において前記調整チャンバの中にはカムが左右に対称的に設けられ、前記サポート機構の中には連動機構が設けられ、前記連動機構が全部で二つ設けられ、右側を例として説明し、前記連動機構はトーションバネ軸を含み、前記トーションバネ軸は前後二つの前記取り付けブロックと回転できるように連結され、前記トーションバネ軸にはトーションバネが設けられ、前記トーションバネには挟み板が設けられ、前記挟み板の左端面にはスポンジパッドが設けられ、前記挟み板の上端には前記カムと協力できる三つの等距離ブロックが設けられ、前記挟み板の中には前記スタンド溝が設けられ、前記スタンド溝の左右両端にはスタンドスライド溝が対称的に設けられ、前記スタンド板は前記スタンドスライド溝とスライドできるように連結され、前記スタンド板の上端面と前記スタンド溝の上端壁との間にはスタンドバネが連結され、前記スタンド板の下端には前記スタンド溝とスライドできるように連結されるスタンドロッドが設けられ、前記スタンドロッドの中には手動つかみ孔が設けられ、前記スタンドスライド溝の右端壁には送りねじがねじ山による連結され、前記送りねじの右端には回転つまみが設けられ、前記回転つまみを回転させ、前記送りねじを連動させて右に移動させ、前記スタンドロッドを飛び出させる。
【発明の効果】
【０００９】
本発明の有益な効果は：本発明は、従来の小型ファンが手持ちしか固定できず、単一の機能しか持たないという欠点を克服し、ハンドヘルドモード、スタンドモード、そして服や帽子に固定されるモードがあり、使用者が異なる条件下で異なるモードを切り替えることを便利にするため、本発明が機械の伝動できるような協働により、エラーの可能性を減少する。
【図面の簡単な説明】
【００１０】
説明しやすいため、本発明は以下の具体的な実施例と付図を交え詳しく説明する。
【００１１】
【図１】図１は本発明の手持ちと固定可能なデュアルモードファンの全体構成略図
【図２】図２は図１のＡ−Ａの断面図
【図３】図３は図２のＢの局部拡大図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書（任意の追加の請求項、要約および図面を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
下記に図１〜３を合わせて本発明について詳しく説明します。説明を便利にさせるように、ここで下記の方位に規定します：下記の上下左右前後という方向は図１の自身の投影関係の上下左右前後の方向と一致します。
【００１５】
図１−３を参照し，  本発明の実施例の手持ちと固定可能なデュアルモードファンは、ファンヘッド１００を含み、前記ファンヘッド１００の中には作業チャンバ６１が設けられ、前記作業チャンバ６１の中にはファン装置１０１が設けられ、前記ファン装置１０１は羽根２１を含み、前記ファン装置１０１は回転により風力を発生させ、前記ファン装置１０１の中には更に動力機構１０２が設けられ、前記ファンヘッド１００の下端にはサポートロッド２４が設けられ、前記サポートロッド２４の下端には伸縮ブロック２５が設けられ、前記伸縮ブロック２５の中には駆動スライド溝２９が設けられ、前記駆動スライド溝２９は前記サポートロッド２４とスライドできるように連結され、前記駆動スライド溝２９の中には回転装置１０３が設けられ、前記回転装置１０３は前記サポートロッド２４と前記ファンヘッド１００の方向を調整することができ、前記回転装置１０３の中にはスライド機構１０４が設けられ、前記駆動スライド溝２９の左右両端には位置制限溝２６が対称的に設けられ、前記位置制限溝２６の下端には調整チャンバ４２が左右に対称的に設けられ、前記伸縮ブロック２５の下端面には取り付けブロック５５が前後に対称的に設けられ、前記取り付けブロック５５の中には挟み板３１がが左右に対称的に設けられ、各前記挟み板３１の中にはそれぞれスタンド溝３３が設けられ、前記スタンド溝３３の中には固定装置１０５が設けられ、前記固定装置１０５はスタンドロッド３７を含み、前記固定装置１０５が前記ファンヘッド１００を座席または帽子に固定でき、前記固定装置１０５にはサポート機構１０６が設けられ、前記スタンド溝３３の左右両端にはスタンドスライド溝３６が対称的に設けられる。
【００１６】
前記ファン装置１０１において前記動力機構１０２にはモータブロック２３が設けられ、前記モータブロック２３の四隅がそれぞれ前記作業チャンバ６１の端壁と固定的に連結され、前記モータブロック２３にはモータ５２が設けられ、前記モータ５２の前端には羽根軸２２が伝動できるように連結され、前記羽根軸２２の前端の上下が対称的な前記羽根２１と固定的に連結し、前記作業チャンバ６１の前端壁には通気板６６が設けられ、前記モータ５２を開けて前記羽根軸２２によって前記羽根２１を回転連動させる。
【００１７】
前記回転装置１０３において前記スライド機構１０４には駆動ブロック２７が設けられ、前記駆動ブロック２７が前記駆動スライド溝２９とスライドできるように連結され、前記駆動ブロック２７の下端にはスロット２８が設けられ、前記駆動ブロック２７の上端には回転ブロック５１が設けられ、前記回転ブロック５１の外周にはゴムワッシャー５０が設けられ、前記サポートロッド２４の下端面には回転ブロック溝４９が設けられ、前記回転ブロック溝４９が前記回転ブロック５１および前記ゴムワッシャー５０とスライドできるように連結され、前記駆動スライド溝２９の左右両端には位置制限溝２６が対称的に設けられ、前記駆動ブロック２７の左右両端には前記位置制限溝２６とスライドできるように連結される短軸４６が対称的に設けられ、前記短軸４６の外周には位置制限ブロック４７がスライドできるように連結され、前記位置制限ブロック４７の上端面と前記位置制限溝２６との間には位置制限バネ４８が連結され、前記駆動スライド溝２９の上端壁には５３が設けられ、前記５３の後端壁には差し込みブロックスライド溝６０が設けられ、前記差し込みブロックスライド溝６０の下端壁には復帰溝５６が設けられ、前記差し込みブロックスライド溝６０の中には差し込みブロック５９がスライドできるように連結され、前記差し込みブロック５９の後端にはプルリング５８が設けられ、前記差し込みブロック５９の前端は前記スロット２８とスライドできるように連結されることができ、前記差し込みブロック５９の下端面には前記復帰溝５６とスライドできるように連結される復帰ブロック７０が設けられ、前記復帰ブロック７０と前記復帰溝５６との間には復帰バネ５７が連結され、前記サポートロッド２４を引き上げ、次に前記サポートロッド２４を前方に引張り、同時に前記プルリング５８によって前記差し込みブロック５９を後方に引張り、次に前記プルリング５８を放し、前記差し込みブロック５９を前記スロット２８の中にひっかからせ、次にサポートロッド２４を回転させて角度を調整する。
【００１８】
前記固定装置１０５において前記サポート機構１０６にはカム軸４４が設けられ、前記カム軸４４は前記調整チャンバ４２の左右端壁および前記伸縮ブロック２５の右端面とスライドできるように連結され、前記カム軸４４の右端には手動回しブロック４５が設けられ、前記カム軸４４において前記調整チャンバ４２の中にはカム４３が左右に対称的に設けられ、前記サポート機構１０６の中には連動機構が設けられ、前記連動機構が全部で二つ設けられ、右側を例として説明し、前記連動機構はトーションバネ軸４１を含み、前記トーションバネ軸４１は前後二つの前記取り付けブロック５５と回転できるように連結され、前記トーションバネ軸４１にはトーションバネ４０が設けられ、前記トーションバネ４０には挟み板３１が設けられ、前記挟み板３１の左端面にはスポンジパッド３２が設けられ、前記挟み板３１の上端には前記カム４３と協力できる三つの等距離ブロック３０が設けられ、前記挟み板３１の中には前記スタンド溝３３が設けられ、前記スタンド溝３３の左右両端にはスタンドスライド溝３６が対称的に設けられ、前記スタンド板３４は前記スタンドスライド溝３６とスライドできるように連結され、前記スタンド板３４の上端面と前記スタンド溝３３の上端壁との間にはスタンドバネ３５が連結され、前記スタンド板３４の下端には前記スタンド溝３３とスライドできるように連結されるスタンドロッド３７が設けられ、前記スタンドロッド３７の中には手動つかみ孔６４が設けられ、前記スタンドスライド溝３６の右端壁には送りねじ３８がねじ山による連結され、前記送りねじ３８の右端には回転つまみ３９が設けられ、前記回転つまみ３９を回転させ、前記送りねじ３８を連動させて右に移動させ、前記スタンドロッド３７を飛び出させる。
【００１９】
利用するとき、手で持つ時、モータ５２をオンして羽根軸２２によって羽根２１を回転連動させ、帽子または服上に挟む必要があるとき、サポートロッド２４を引き上げ、次にサポートロッド２４を前方に引張り、同時にプルリング５８によって差し込みブロック５９を後方に引張り、次にプルリング５８を放し、差し込みブロック５９をスロット２８の中にひっかからせ、次にサポートロッド２４を回転させて角度を調整し、手動回しブロック４５を回転させてカム軸４４およびカム４３を回転連動させ、カム４３を等距離ブロック３０の間から離れさせ、それから二つ挟み板３１をしっかりと帽子のつばに挟み、カム４３を改めて等距離ブロック３０の間の空隙に引っ掛け、スタンドモードを使用するとき、単に挟み板３１を一定の角度に調整し、回転つまみ３９を回転させ、送りねじ３８を連動させて右に移動させ、前記スタンドロッド３７を飛び出させればいい。
【００２０】
本発明の有益な効果は：本発明は、従来の小型ファンが手持ちしか固定できず、単一の機能しか持たないという欠点を克服し、ハンドヘルドモード、スタンドモード、そして服や帽子に固定されるモードがあり、使用者が異なる条件下で異なるモードを切り替えることを便利にするため、本発明が機械の伝動できるような協働により、エラーの可能性を減少する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020176615.tif 000003
【図２】
2020176615.tif 000004
【図３】
2020176615.tif 000005
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
ファンヘッドを含み、前記ファンヘッドの中には作業チャンバが設けられ、前記作業チャンバの中にはファン装置が設けられ、前記ファン装置は羽根を含み、前記ファン装置は回転により風力を発生させ、前記ファン装置の中には更に動力機構が設けられ、前記ファンヘッドの下端にはサポートロッドが設けられ、前記サポートロッドの下端には伸縮ブロックが設けられ、前記伸縮ブロックの中には駆動スライド溝が設けられ、前記駆動スライド溝は前記サポートロッドとスライドできるように連結され、前記駆動スライド溝の中には回転装置が設けられ、前記回転装置は前記サポートロッドと前記ファンヘッドの方向を調整することができ、前記駆動スライド溝の左右両端には第一空き溝が対称的に設けられ、前記伸縮ブロックの中には左右対称の二つの第一空きチャンバが設けられ、前記第一空きチャンバが前記第一空き溝の下側内壁の中に位置しており、前記伸縮ブロックの下端面には取り付けブロックが前後に対称的に設けられ、前記取り付けブロックの中には挟み板がが左右に対称的に設けられ、各前記挟み板の中にはそれぞれスタンド溝が設けられ、前記スタンド溝の中には固定装置が設けられ、前記固定装置はスタンドロッドを含み、前記固定装置が前記ファンヘッドを座席または帽子に固定でき、前記スタンド溝の左右両端には第二スライド溝が対称的に設けられ、
前記回転装置には駆動ブロックが設けられ、前記駆動ブロックが前記駆動スライド溝とスライドできるように連結され、前記駆動ブロックの下端にはスロットが設けられ、前記駆動ブロックの上端には回転ブロックが設けられ、前記回転ブロックの外周にはゴムワッシャーが設けられ、前記サポートロッドの下端面には回転ブロック溝が設けられ、前記回転ブロック溝が前記回転ブロックおよび前記ゴムワッシャーとスライドできるように連結され、前記駆動スライド溝の左右両端には第一空き溝が対称的に設けられ、前記駆動ブロックの左右両端には前記第一空き溝とスライドできるように連結される短軸が対称的に設けられ、前記短軸の外周には位置制限ブロックがスライドできるように連結され、前記位置制限ブロックの上端面と前記第一空き溝との間には位置制限バネが連結され、前記駆動スライド溝の上端壁には抜き穴が設けられ、前記抜き穴の後端壁には差し込みブロックスライド溝が設けられ、前記差し込みブロックスライド溝の下端壁には復帰溝が設けられ、前記差し込みブロックスライド溝の中には差し込みブロックがスライドできるように連結され、前記差し込みブロックの後端にはプルリングが設けられ、前記差し込みブロックの前端は前記スロットとスライドできるように連結されることができ、前記差し込みブロックの下端面には前記復帰溝とスライドできるように連結される復帰ブロックが設けられ、前記復帰ブロックと前記復帰溝との間には復帰バネが連結され、前記サポートロッドを引き上げ、次に前記サポートロッドを前方に引張り、同時に前記プルリングによって前記差し込みブロックを後方に引張り、次に前記プルリングを放し、前記差し込みブロックを前記スロットの中にひっかからせ、次にサポートロッドを回転させて角度を調整し、
前記固定装置にはカム軸が設けられ、前記カム軸は前記調整チャンバの左右端壁および前記伸縮ブロックの右端面と回転できるように連結され、前記カム軸の右端には手動回しブロックが設けられ、前記カム軸において前記調整チャンバの中にはカムが左右に対称的に設けられ、前記サポート機構の中には連動機構が設けられ、前記連動機構が全部で二つ設けられ、前記連動機構はトーションバネ軸を含み、前記トーションバネ軸は前後二つの前記取り付けブロックと回転できるように連結され、前記トーションバネ軸にはトーションバネが設けられ、前記トーションバネには挟み板が設けられ、前記挟み板の左端面にはスポンジパッドが設けられ、前記挟み板の上端には前記カムと協力できる三つのブロックが設けられ、前記挟み板の中には前記スタンド溝が設けられ、前記スタンド溝の左右両端には第二スライド溝が対称的に設けられ、前記スタンド板は前記第二スライド溝とスライドできるように連結され、前記スタンド板の上端面と前記スタンド溝の上端壁との間にはスタンドバネが連結され、前記スタンド板の下端には前記スタンド溝とスライドできるように連結されるスタンドロッドが設けられ、前記スタンドロッドの中には手動つかみ孔が設けられ、前記第二スライド溝の右端壁には送りねじがねじ山による連結され、前記送りねじの右端には回転つまみが設けられ、前記回転つまみを回転させ、前記送りねじを連動させて右に移動させ、前記スタンドロッドを飛び出させることを特徴とする手持ちと固定可能なデュアルモードファン。
【請求項２】
前記ファン装置において前記動力機構にはモータブロックが設けられ、前記モータブロックの四隅がそれぞれ前記作業チャンバの端壁と固定的に連結され、前記モータブロックにはモータが設けられ、前記モータの前端には羽根軸が伝動できるように連結され、前記羽根軸の前端の上下が対称的な前記羽根と固定的に連結し、前記作業チャンバの前端壁には通気板が設けられ、前記モータを始動して前記羽根軸によって前記羽根を回転連動させることを特徴とする請求項1に記載の手持ちと固定可能なデュアルモードファン。
【手続補正２】
【補正対象書類名】明細書
【補正対象項目名】全文
【補正方法】変更
【補正の内容】
【発明の詳細な説明】
【技術分野】
【０００１】
本発明は小型家電分野を取り上げて、具体的には手持ちと固定可能なデュアルモードファンである。
【背景技術】
【０００２】
現在、暑い夏の日に出かけるとき、人々はしばしば自分自身の温度を下げるために小さなファンを携帯する必要があり、だだし、伝統的な小型ファンの使用モードが単一で、手でしか持てなく、座って休むとき、ファンを固定することができなく、使い勝手が悪く、そして歩いている間、時々ファンを手で握ることが不便である。
【先行技術文献】
【特許文献】
【０００３】
【特許文献１】中国特許出願公開第１０８５９１１００号明細書
【発明の概要】
【発明が解決しようとする課題】
【０００４】
本発明の目的は手持ちと固定可能なデュアルモードファンを提供し、それは上記の現在の技術中の問題を解決できる。
【課題を解決するための手段】
【０００５】
本発明は以下の技術プランを通じて実現する：本発明の手持ちと固定可能なデュアルモードファンは、ファンヘッドを含み、前記ファンヘッドの中には作業チャンバが設けられ、前記作業チャンバの中にはファン装置が設けられ、前記ファン装置は羽根を含み、前記ファン装置は回転により風力を発生させ、前記ファン装置の中には更に動力機構が設けられ、前記ファンヘッドの下端にはサポートロッドが設けられ、前記サポートロッドの下端には伸縮ブロックが設けられ、前記伸縮ブロックの中には駆動スライド溝が設けられ、前記駆動スライド溝は前記サポートロッドとスライドできるように連結され、前記駆動スライド溝の中には回転装置が設けられ、前記回転装置は前記サポートロッドと前記ファンヘッドの方向を調整することができ、前記駆動スライド溝の左右両端には第一空き溝が対称的に設けられ、前記伸縮ブロックの中には左右対称の二つの第一空きチャンバが設けられ、前記第一空きチャンバが前記第一空き溝の下側内壁の中に位置しており、前記伸縮ブロックの下端面には取り付けブロックが前後に対称的に設けられ、前記取り付けブロックの中には挟み板がが左右に対称的に設けられ、各前記挟み板の中にはそれぞれスタンド溝が設けられ、前記スタンド溝の中には固定装置が設けられ、前記固定装置はスタンドロッドを含み、前記固定装置が前記ファンヘッドを座席または帽子に固定でき、前記スタンド溝の左右両端には第二スライド溝が対称的に設けられる。
【０００６】
優選的には、前記ファン装置において前記動力機構にはモータブロックが設けられ、前記モータブロックの四隅がそれぞれ前記作業チャンバの端壁と固定的に連結され、前記モータブロックにはモータが設けられ、前記モータの前端には羽根軸が伝動できるように連結され、前記羽根軸の前端の上下が対称的な前記羽根と固定的に連結し、前記作業チャンバの前端壁には通気板が設けられ、前記モータを始動して前記羽根軸によって前記羽根を回転連動させる。
【０００７】
優選的には、前記回転装置には駆動ブロックが設けられ、前記駆動ブロックが前記駆動スライド溝とスライドできるように連結され、前記駆動ブロックの下端にはスロットが設けられ、前記駆動ブロックの上端には回転ブロックが設けられ、前記回転ブロックの外周にはゴムワッシャーが設けられ、前記サポートロッドの下端面には回転ブロック溝が設けられ、前記回転ブロック溝が前記回転ブロックおよび前記ゴムワッシャーとスライドできるように連結され、前記駆動スライド溝の左右両端には第一空き溝が対称的に設けられ、前記駆動ブロックの左右両端には前記第一空き溝とスライドできるように連結される短軸が対称的に設けられ、前記短軸の外周には位置制限ブロックがスライドできるように連結され、前記位置制限ブロックの上端面と前記第一空き溝との間には位置制限バネが連結され、前記駆動スライド溝の上端壁には抜き穴が設けられ、前記抜き穴の後端壁には差し込みブロックスライド溝が設けられ、前記差し込みブロックスライド溝の下端壁には復帰溝が設けられ、前記差し込みブロックスライド溝の中には差し込みブロックがスライドできるように連結され、前記差し込みブロックの後端にはプルリングが設けられ、前記差し込みブロックの前端は前記スロットとスライドできるように連結されることができ、前記差し込みブロックの下端面には前記復帰溝とスライドできるように連結される復帰ブロックが設けられ、前記復帰ブロックと前記復帰溝との間には復帰バネが連結され、前記サポートロッドを引き上げ、次に前記サポートロッドを前方に引張り、同時に前記プルリングによって前記差し込みブロックを後方に引張り、次に前記プルリングを放し、前記差し込みブロックを前記スロットの中にひっかからせ、次にサポートロッドを回転させて角度を調整する。
【０００８】
優選的には、前記固定装置にはカム軸が設けられ、前記カム軸は前記調整チャンバの左右端壁および前記伸縮ブロックの右端面と回転できるように連結され、前記カム軸の右端には手動回しブロックが設けられ、前記カム軸において前記調整チャンバの中にはカムが左右に対称的に設けられ、前記サポート機構の中には連動機構が設けられ、前記連動機構が全部で二つ設けられ、前記連動機構はトーションバネ軸を含み、前記トーションバネ軸は前後二つの前記取り付けブロックと回転できるように連結され、前記トーションバネ軸にはトーションバネが設けられ、前記トーションバネには挟み板が設けられ、前記挟み板の左端面にはスポンジパッドが設けられ、前記挟み板の上端には前記カムと協力できる三つのブロックが設けられ、前記挟み板の中には前記スタンド溝が設けられ、前記スタンド溝の左右両端には第二スライド溝が対称的に設けられ、前記スタンド板は前記第二スライド溝とスライドできるように連結され、前記スタンド板の上端面と前記スタンド溝の上端壁との間にはスタンドバネが連結され、前記スタンド板の下端には前記スタンド溝とスライドできるように連結されるスタンドロッドが設けられ、前記スタンドロッドの中には手動つかみ孔が設けられ、前記第二スライド溝の右端壁には送りねじがねじ山による連結され、前記送りねじの右端には回転つまみが設けられ、前記回転つまみを回転させ、前記送りねじを連動させて右に移動させ、前記スタンドロッドを飛び出させる。
【発明の効果】
【０００９】
本発明の有益な効果は：本発明は、従来の小型ファンが手持ちしか固定できず、単一の機能しか持たないという欠点を克服し、ハンドヘルドモード、スタンドモード、そして服や帽子に固定されるモードがあり、使用者が異なる条件下で異なるモードを切り替えることを便利にするため、本発明が機械の伝動できるような協働により、エラーの可能性を減少する。
【図面の簡単な説明】
【００１０】
説明しやすいため、本発明は以下の具体的な実施例と付図を交え詳しく説明する。
【００１１】
【図１】図１は本発明の手持ちと固定可能なデュアルモードファンの全体構成略図
【図２】図２は図１のＡ−Ａの断面図
【図３】図３は図２のＢの局部拡大図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書（任意の追加の請求項、要約および図面を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
図１−３を参照し，  本発明の実施例の手持ちと固定可能なデュアルモードファンは、ファンヘッド１００を含み、前記ファンヘッド１００の中には作業チャンバ６１が設けられ、前記作業チャンバ６１の中にはファン装置１０１が設けられ、前記ファン装置１０１は羽根２１を含み、前記ファン装置１０１は回転により風力を発生させ、前記ファン装置１０１の中には更に動力機構１０２が設けられ、前記ファンヘッド１００の下端にはサポートロッド２４が設けられ、前記サポートロッド２４の下端には伸縮ブロック２５が設けられ、前記伸縮ブロック２５の中には駆動スライド溝２９が設けられ、前記駆動スライド溝２９は前記サポートロッド２４とスライドできるように連結され、前記駆動スライド溝２９の中には回転装置１０３が設けられ、前記回転装置１０３は前記サポートロッド２４と前記ファンヘッド１００の方向を調整することができ、前記駆動スライド溝２９の左右両端には第一空き溝２６が対称的に設けられ、前記伸縮ブロック２５の中には左右対称の二つの第一空きチャンバ４２が設けられ、前記第一空きチャンバ４２が前記第一空き溝２６の下側内壁の中に位置しており、前記伸縮ブロック２５の下端面には取り付けブロック５５が前後に対称的に設けられ、前記取り付けブロック５５の中には挟み板３１がが左右に対称的に設けられ、各前記挟み板３１の中にはそれぞれスタンド溝３３が設けられ、前記スタンド溝３３の中には固定装置１０５が設けられ、前記固定装置１０５はスタンドロッド３７を含み、前記固定装置１０５が前記ファンヘッド１００を座席または帽子に固定でき、前記スタンド溝３３の左右両端には第二スライド溝３６が対称的に設けられる。
【００１６】
前記ファン装置１０１において前記動力機構１０２にはモータブロック２３が設けられ、前記モータブロック２３の四隅がそれぞれ前記作業チャンバ６１の端壁と固定的に連結され、前記モータブロック２３にはモータ５２が設けられ、前記モータ５２の前端には羽根軸２２が伝動できるように連結され、前記羽根軸２２の前端の上下が対称的な前記羽根２１と固定的に連結し、前記作業チャンバ６１の前端壁には通気板６６が設けられ、前記モータ５２を始動して前記羽根軸２２によって前記羽根２１を回転連動させる。
【００１７】
前記回転装置１０３には駆動ブロック２７が設けられ、前記駆動ブロック２７が前記駆動スライド溝２９とスライドできるように連結され、前記駆動ブロック２７の下端にはスロット２８が設けられ、前記駆動ブロック２７の上端には回転ブロック５１が設けられ、前記回転ブロック５１の外周にはゴムワッシャー５０が設けられ、前記サポートロッド２４の下端面には回転ブロック溝４９が設けられ、前記回転ブロック溝４９が前記回転ブロック５１および前記ゴムワッシャー５０とスライドできるように連結され、前記駆動スライド溝２９の左右両端には第一空き溝２６が対称的に設けられ、前記駆動ブロック２７の左右両端には前記第一空き溝２６とスライドできるように連結される短軸４６が対称的に設けられ、前記短軸４６の外周には位置制限ブロック４７がスライドできるように連結され、前記位置制限ブロック４７の上端面と前記第一空き溝２６との間には位置制限バネ４８が連結され、前記駆動スライド溝２９の上端壁には抜き穴５３が設けられ、前記抜き穴５３の後端壁には差し込みブロックスライド溝６０が設けられ、前記差し込みブロックスライド溝６０の下端壁には復帰溝５６が設けられ、前記差し込みブロックスライド溝６０の中には差し込みブロック５９がスライドできるように連結され、前記差し込みブロック５９の後端にはプルリング５８が設けられ、前記差し込みブロック５９の前端は前記スロット２８とスライドできるように連結されることができ、前記差し込みブロック５９の下端面には前記復帰溝５６とスライドできるように連結される復帰ブロック７０が設けられ、前記復帰ブロック７０と前記復帰溝５６との間には復帰バネ５７が連結され、前記サポートロッド２４を引き上げ、次に前記サポートロッド２４を前方に引張り、同時に前記プルリング５８によって前記差し込みブロック５９を後方に引張り、次に前記プルリング５８を放し、前記差し込みブロック５９を前記スロット２８の中にひっかからせ、次にサポートロッド２４を回転させて角度を調整する。
【００１８】
前記固定装置１０５にはカム軸４４が設けられ、前記カム軸４４は前記調整チャンバ４２の左右端壁および前記伸縮ブロック２５の右端面と回転できるように連結され、前記カム軸４４の右端には手動回しブロック４５が設けられ、前記カム軸４４において前記調整チャンバ４２の中にはカム４３が左右に対称的に設けられ、前記サポート機構１０６の中には連動機構が設けられ、前記連動機構が全部で二つ設けられ、前記連動機構はトーションバネ軸４１を含み、前記トーションバネ軸４１は前後二つの前記取り付けブロック５５と回転できるように連結され、前記トーションバネ軸４１にはトーションバネ４０が設けられ、前記トーションバネ４０には挟み板３１が設けられ、前記挟み板３１の左端面にはスポンジパッド３２が設けられ、前記挟み板３１の上端には前記カム４３と協力できる三つのブロック３０が設けられ、前記挟み板３１の中には前記スタンド溝３３が設けられ、前記スタンド溝３３の左右両端には第二スライド溝３６が対称的に設けられ、前記スタンド板３４は前記第二スライド溝３６とスライドできるように連結され、前記スタンド板３４の上端面と前記スタンド溝３３の上端壁との間にはスタンドバネ３５が連結され、前記スタンド板３４の下端には前記スタンド溝３３とスライドできるように連結されるスタンドロッド３７が設けられ、前記スタンドロッド３７の中には手動つかみ孔６４が設けられ、前記第二スライド溝３６の右端壁には送りねじ３８がねじ山による連結され、前記送りねじ３８の右端には回転つまみ３９が設けられ、前記回転つまみ３９を回転させ、前記送りねじ３８を連動させて右に移動させ、前記スタンドロッド３７を飛び出させる。
【００１９】
利用するとき、手で持つ時、モータ５２をオンして羽根軸２２によって羽根２１を回転連動させ、帽子または服上に挟む必要があるとき、サポートロッド２４を引き上げ、次にサポートロッド２４を前方に引張り、同時にプルリング５８によって差し込みブロック５９を後方に引張り、次にプルリング５８を放し、差し込みブロック５９をスロット２８の中にひっかからせ、次にサポートロッド２４を回転させて角度を調整し、手動回しブロック４５を回転させてカム軸４４およびカム４３を回転連動させ、カム４３をブロック３０の間から離れさせ、それから二つ挟み板３１をしっかりと帽子のつばに挟み、カム４３を改めてブロック３０の間の空隙に引っ掛け、スタンドモードを使用するとき、単に挟み板３１を一定の角度に調整し、回転つまみ３９を回転させ、送りねじ３８を連動させて右に移動させ、前記スタンドロッド３７を飛び出させればいい。
【００２０】
本発明の有益な効果は：本発明は、従来の小型ファンが手持ちしか固定できず、単一の機能しか持たないという欠点を克服し、ハンドヘルドモード、スタンドモード、そして服や帽子に固定されるモードがあり、使用者が異なる条件下で異なるモードを切り替えることを便利にするため、本発明が機械の伝動できるような協働により、エラーの可能性を減少する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年12月5日(2019.12.5)
【手続補正１】
【補正対象書類名】特許請求の範囲
【補正対象項目名】請求項１
【補正方法】変更
【補正の内容】
【請求項１】
正面視で上側にファンヘッドを有する手持ちと固定可能なデュアルモードファンであって、ファンヘッドを含み、前記ファンヘッドの中には作業チャンバが設けられ、前記作業チャンバの中にはファン装置が設けられ、前記ファン装置は羽根を含み、前記ファン装置は回転により風力を発生させ、前記ファン装置の中には更に動力機構が設けられ、前記ファンヘッドの下端にはサポートロッドが設けられ、前記サポートロッドの下端には伸縮ブロックが設けられ、前記伸縮ブロックの中には駆動スライド溝が設けられ、前記駆動スライド溝は前記サポートロッドとスライドできるように連結され、前記駆動スライド溝の中には回転装置が設けられ、前記回転装置は前記サポートロッドと前記ファンヘッドの方向を調整することができ、前記駆動スライド溝の左右両端には第一空き溝が対称的に設けられ、前記伸縮ブロックの中には左右対称の二つの第一空きチャンバが設けられ、前記第一空きチャンバが前記第一空き溝の下側内壁の中に位置しており、前記伸縮ブロックの下端面には取り付けブロックが前後に対称的に設けられ、前記取り付けブロックの中には挟み板がが左右に対称的に設けられ、各前記挟み板の中にはそれぞれスタンド溝が設けられ、前記スタンド溝の中には固定装置が設けられ、前記固定装置はスタンドロッドを含み、前記固定装置が前記ファンヘッドを座席または帽子に固定でき、前記スタンド溝の左右両端には第二スライド溝が対称的に設けられ、
前記回転装置には駆動ブロックが設けられ、前記駆動ブロックが前記駆動スライド溝とスライドできるように連結され、前記駆動ブロックの下端にはスロットが設けられ、前記駆動ブロックの上端には回転ブロックが設けられ、前記回転ブロックの外周にはゴムワッシャーが設けられ、前記サポートロッドの下端面には回転ブロック溝が設けられ、前記回転ブロック溝が前記回転ブロックおよび前記ゴムワッシャーとスライドできるように連結され、前記駆動スライド溝の左右両端には第一空き溝が対称的に設けられ、前記駆動ブロックの左右両端には前記第一空き溝とスライドできるように連結される短軸が対称的に設けられ、前記短軸の外周には位置制限ブロックがスライドできるように連結され、前記位置制限ブロックの上端面と前記第一空き溝との間には位置制限バネが連結され、前記駆動スライド溝の上端壁には抜き穴が設けられ、前記抜き穴の後端壁には差し込みブロックスライド溝が設けられ、前記差し込みブロックスライド溝の下端壁には復帰溝が設けられ、前記差し込みブロックスライド溝の中には差し込みブロックがスライドできるように連結され、前記差し込みブロックの後端にはプルリングが設けられ、前記差し込みブロックの前端は前記スロットとスライドできるように連結されることができ、前記差し込みブロックの下端面には前記復帰溝とスライドできるように連結される復帰ブロックが設けられ、前記復帰ブロックと前記復帰溝との間には復帰バネが連結され、前記サポートロッドを引き上げ、次に前記サポートロッドを前方に引張り、同時に前記プルリングによって前記差し込みブロックを後方に引張り、次に前記プルリングを放し、前記差し込みブロックを前記スロットの中にひっかからせ、次にサポートロッドを回転させて角度を調整し、
前記固定装置にはカム軸が設けられ、前記カム軸は前記調整チャンバの左右端壁および前記伸縮ブロックの右端面と回転できるように連結され、前記カム軸の右端には手動回しブロックが設けられ、前記カム軸において前記調整チャンバの中にはカムが左右に対称的に設けられ、前記サポート機構の中には連動機構が設けられ、前記連動機構が全部で二つ設けられ、前記連動機構はトーションバネ軸を含み、前記トーションバネ軸は前後二つの前記取り付けブロックと回転できるように連結され、前記トーションバネ軸にはトーションバネが設けられ、前記トーションバネには挟み板が設けられ、前記挟み板の左端面にはスポンジパッドが設けられ、前記挟み板の上端には前記カムと協力できる三つのブロックが設けられ、前記挟み板の中には前記スタンド溝が設けられ、前記スタンド溝の左右両端には第二スライド溝が対称的に設けられ、前記スタンド板は前記第二スライド溝とスライドできるように連結され、前記スタンド板の上端面と前記スタンド溝の上端壁との間にはスタンドバネが連結され、前記スタンド板の下端には前記スタンド溝とスライドできるように連結されるスタンドロッドが設けられ、前記スタンドロッドの中には手動つかみ孔が設けられ、前記第二スライド溝の右端壁には送りねじがねじ山による連結され、前記送りねじの右端には回転つまみが設けられ、前記回転つまみを回転させ、前記送りねじを連動させて右に移動させ、前記スタンドロッドを飛び出させることを特徴とする手持ちと固定可能なデュアルモードファン。
【手続補正２】
【補正対象書類名】明細書
【補正対象項目名】全文
【補正方法】変更
【補正の内容】
【発明の詳細な説明】
【技術分野】
【０００１】
本発明は小型家電分野を取り上げて、具体的には手持ちと固定可能なデュアルモードファンである。
【背景技術】
【０００２】
現在、暑い夏の日に出かけるとき、人々はしばしば自分自身の温度を下げるために小さなファンを携帯する必要があり、だだし、伝統的な小型ファンの使用モードが単一で、手でしか持てなく、座って休むとき、ファンを固定することができなく、使い勝手が悪く、そして歩いている間、時々ファンを手で握ることが不便である。
【先行技術文献】
【特許文献】
【０００３】
【特許文献１】中国特許出願公開第１０８５９１１００号明細書
【発明の概要】
【発明が解決しようとする課題】
【０００４】
本発明の目的は手持ちと固定可能なデュアルモードファンを提供し、それは上記の現在の技術中の問題を解決できる。
【課題を解決するための手段】
【０００５】
本発明は以下の技術プランを通じて実現する：本発明の手持ちと固定可能なデュアルモードファンは、ファンヘッドを含み、前記ファンヘッドの中には作業チャンバが設けられ、前記作業チャンバの中にはファン装置が設けられ、前記ファン装置は羽根を含み、前記ファン装置は回転により風力を発生させ、前記ファン装置の中には更に動力機構が設けられ、前記ファンヘッドの下端にはサポートロッドが設けられ、前記サポートロッドの下端には伸縮ブロックが設けられ、前記伸縮ブロックの中には駆動スライド溝が設けられ、前記駆動スライド溝は前記サポートロッドとスライドできるように連結され、前記駆動スライド溝の中には回転装置が設けられ、前記回転装置は前記サポートロッドと前記ファンヘッドの方向を調整することができ、前記駆動スライド溝の左右両端には第一空き溝が対称的に設けられ、前記伸縮ブロックの中には左右対称の二つの第一空きチャンバが設けられ、前記第一空きチャンバが前記第一空き溝の下側内壁の中に位置しており、前記伸縮ブロックの下端面には取り付けブロックが前後に対称的に設けられ、前記取り付けブロックの中には挟み板がが左右に対称的に設けられ、各前記挟み板の中にはそれぞれスタンド溝が設けられ、前記スタンド溝の中には固定装置が設けられ、前記固定装置はスタンドロッドを含み、前記固定装置が前記ファンヘッドを座席または帽子に固定でき、前記スタンド溝の左右両端には第二スライド溝が対称的に設けられる。
【０００６】
優選的には、前記ファン装置において前記動力機構にはモータブロックが設けられ、前記モータブロックの四隅がそれぞれ前記作業チャンバの端壁と固定的に連結され、前記モータブロックにはモータが設けられ、前記モータの前端には羽根軸が伝動できるように連結され、前記羽根軸の前端の上下が対称的な前記羽根と固定的に連結し、前記作業チャンバの前端壁には通気板が設けられ、前記モータを始動して前記羽根軸によって前記羽根を回転連動させる。
【０００７】
優選的には、前記回転装置には駆動ブロックが設けられ、前記駆動ブロックが前記駆動スライド溝とスライドできるように連結され、前記駆動ブロックの下端にはスロットが設けられ、前記駆動ブロックの上端には回転ブロックが設けられ、前記回転ブロックの外周にはゴムワッシャーが設けられ、前記サポートロッドの下端面には回転ブロック溝が設けられ、前記回転ブロック溝が前記回転ブロックおよび前記ゴムワッシャーとスライドできるように連結され、前記駆動スライド溝の左右両端には第一空き溝が対称的に設けられ、前記駆動ブロックの左右両端には前記第一空き溝とスライドできるように連結される短軸が対称的に設けられ、前記短軸の外周には位置制限ブロックがスライドできるように連結され、前記位置制限ブロックの上端面と前記第一空き溝との間には位置制限バネが連結され、前記駆動スライド溝の上端壁には抜き穴が設けられ、前記抜き穴の後端壁には差し込みブロックスライド溝が設けられ、前記差し込みブロックスライド溝の下端壁には復帰溝が設けられ、前記差し込みブロックスライド溝の中には差し込みブロックがスライドできるように連結され、前記差し込みブロックの後端にはプルリングが設けられ、前記差し込みブロックの前端は前記スロットとスライドできるように連結されることができ、前記差し込みブロックの下端面には前記復帰溝とスライドできるように連結される復帰ブロックが設けられ、前記復帰ブロックと前記復帰溝との間には復帰バネが連結され、前記サポートロッドを引き上げ、次に前記サポートロッドを前方に引張り、同時に前記プルリングによって前記差し込みブロックを後方に引張り、次に前記プルリングを放し、前記差し込みブロックを前記スロットの中にひっかからせ、次にサポートロッドを回転させて角度を調整する。
【０００８】
優選的には、前記固定装置にはカム軸が設けられ、前記カム軸は前記調整チャンバの左右端壁および前記伸縮ブロックの右端面と回転できるように連結され、前記カム軸の右端には手動回しブロックが設けられ、前記カム軸において前記調整チャンバの中にはカムが左右に対称的に設けられ、前記サポート機構の中には連動機構が設けられ、前記連動機構が全部で二つ設けられ、前記連動機構はトーションバネ軸を含み、前記トーションバネ軸は前後二つの前記取り付けブロックと回転できるように連結され、前記トーションバネ軸にはトーションバネが設けられ、前記トーションバネには挟み板が設けられ、前記挟み板の左端面にはスポンジパッドが設けられ、前記挟み板の上端には前記カムと協力できる三つのブロックが設けられ、前記挟み板の中には前記スタンド溝が設けられ、前記スタンド溝の左右両端には第二スライド溝が対称的に設けられ、前記スタンド板は前記第二スライド溝とスライドできるように連結され、前記スタンド板の上端面と前記スタンド溝の上端壁との間にはスタンドバネが連結され、前記スタンド板の下端には前記スタンド溝とスライドできるように連結されるスタンドロッドが設けられ、前記スタンドロッドの中には手動つかみ孔が設けられ、前記第二スライド溝の右端壁には送りねじがねじ山による連結され、前記送りねじの右端には回転つまみが設けられ、前記回転つまみを回転させ、前記送りねじを連動させて右に移動させ、前記スタンドロッドを飛び出させる。
【発明の効果】
【０００９】
本発明の有益な効果は：本発明は、従来の小型ファンが手持ちしか固定できず、単一の機能しか持たないという欠点を克服し、ハンドヘルドモード、スタンドモード、そして服や帽子に固定されるモードがあり、使用者が異なる条件下で異なるモードを切り替えることを便利にするため、本発明が機械の伝動できるような協働により、エラーの可能性を減少する。
【図面の簡単な説明】
【００１０】
説明しやすいため、本発明は以下の具体的な実施例と付図を交え詳しく説明する。
【００１１】
【図１】図１は本発明の手持ちと固定可能なデュアルモードファンの全体構成略図
【図２】図２は図１のＡ−Ａの断面図
【図３】図３は図２のＢの局部拡大図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書（任意の追加の請求項、要約および図面を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
下記に図１〜３をあわせて本発明について詳しく説明し、本願に記載の各方向が、図１と同じ向きに装置を見た際の方向である。
【００１５】
図１−３を参照し，  本発明の実施例の手持ちと固定可能なデュアルモードファンは、ファンヘッド１００を含み、前記ファンヘッド１００の中には作業チャンバ６１が設けられ、前記作業チャンバ６１の中にはファン装置１０１が設けられ、前記ファン装置１０１は羽根２１を含み、前記ファン装置１０１は回転により風力を発生させ、前記ファン装置１０１の中には更に動力機構１０２が設けられ、前記ファンヘッド１００の下端にはサポートロッド２４が設けられ、前記サポートロッド２４の下端には伸縮ブロック２５が設けられ、前記伸縮ブロック２５の中には駆動スライド溝２９が設けられ、前記駆動スライド溝２９は前記サポートロッド２４とスライドできるように連結され、前記駆動スライド溝２９の中には回転装置１０３が設けられ、前記回転装置１０３は前記サポートロッド２４と前記ファンヘッド１００の方向を調整することができ、前記駆動スライド溝２９の左右両端には第一空き溝２６が対称的に設けられ、前記伸縮ブロック２５の中には左右対称の二つの第一空きチャンバ４２が設けられ、前記第一空きチャンバ４２が前記第一空き溝２６の下側内壁の中に位置しており、前記伸縮ブロック２５の下端面には取り付けブロック５５が前後に対称的に設けられ、前記取り付けブロック５５の中には挟み板３１がが左右に対称的に設けられ、各前記挟み板３１の中にはそれぞれスタンド溝３３が設けられ、前記スタンド溝３３の中には固定装置１０５が設けられ、前記固定装置１０５はスタンドロッド３７を含み、前記固定装置１０５が前記ファンヘッド１００を座席または帽子に固定でき、前記スタンド溝３３の左右両端には第二スライド溝３６が対称的に設けられる。
【００１６】
前記ファン装置１０１において前記動力機構１０２にはモータブロック２３が設けられ、前記モータブロック２３の四隅がそれぞれ前記作業チャンバ６１の端壁と固定的に連結され、前記モータブロック２３にはモータ５２が設けられ、前記モータ５２の前端には羽根軸２２が伝動できるように連結され、前記羽根軸２２の前端の上下が対称的な前記羽根２１と固定的に連結し、前記作業チャンバ６１の前端壁には通気板６６が設けられ、前記モータ５２を始動して前記羽根軸２２によって前記羽根２１を回転連動させる。
【００１７】
前記回転装置１０３には駆動ブロック２７が設けられ、前記駆動ブロック２７が前記駆動スライド溝２９とスライドできるように連結され、前記駆動ブロック２７の下端にはスロット２８が設けられ、前記駆動ブロック２７の上端には回転ブロック５１が設けられ、前記回転ブロック５１の外周にはゴムワッシャー５０が設けられ、前記サポートロッド２４の下端面には回転ブロック溝４９が設けられ、前記回転ブロック溝４９が前記回転ブロック５１および前記ゴムワッシャー５０とスライドできるように連結され、前記駆動スライド溝２９の左右両端には第一空き溝２６が対称的に設けられ、前記駆動ブロック２７の左右両端には前記第一空き溝２６とスライドできるように連結される短軸４６が対称的に設けられ、前記短軸４６の外周には位置制限ブロック４７がスライドできるように連結され、前記位置制限ブロック４７の上端面と前記第一空き溝２６との間には位置制限バネ４８が連結され、前記駆動スライド溝２９の上端壁には抜き穴５３が設けられ、前記抜き穴５３の後端壁には差し込みブロックスライド溝６０が設けられ、前記差し込みブロックスライド溝６０の下端壁には復帰溝５６が設けられ、前記差し込みブロックスライド溝６０の中には差し込みブロック５９がスライドできるように連結され、前記差し込みブロック５９の後端にはプルリング５８が設けられ、前記差し込みブロック５９の前端は前記スロット２８とスライドできるように連結されることができ、前記差し込みブロック５９の下端面には前記復帰溝５６とスライドできるように連結される復帰ブロック７０が設けられ、前記復帰ブロック７０と前記復帰溝５６との間には復帰バネ５７が連結され、前記サポートロッド２４を引き上げ、次に前記サポートロッド２４を前方に引張り、同時に前記プルリング５８によって前記差し込みブロック５９を後方に引張り、次に前記プルリング５８を放し、前記差し込みブロック５９を前記スロット２８の中にひっかからせ、次にサポートロッド２４を回転させて角度を調整する。
【００１８】
前記固定装置１０５にはカム軸４４が設けられ、前記カム軸４４は前記調整チャンバ４２の左右端壁および前記伸縮ブロック２５の右端面と回転できるように連結され、前記カム軸４４の右端には手動回しブロック４５が設けられ、前記カム軸４４において前記調整チャンバ４２の中にはカム４３が左右に対称的に設けられ、前記サポート機構１０６の中には連動機構が設けられ、前記連動機構が全部で二つ設けられ、前記連動機構はトーションバネ軸４１を含み、前記トーションバネ軸４１は前後二つの前記取り付けブロック５５と回転できるように連結され、前記トーションバネ軸４１にはトーションバネ４０が設けられ、前記トーションバネ４０には挟み板３１が設けられ、前記挟み板３１の左端面にはスポンジパッド３２が設けられ、前記挟み板３１の上端には前記カム４３と協力できる三つのブロック３０が設けられ、前記挟み板３１の中には前記スタンド溝３３が設けられ、前記スタンド溝３３の左右両端には第二スライド溝３６が対称的に設けられ、前記スタンド板３４は前記第二スライド溝３６とスライドできるように連結され、前記スタンド板３４の上端面と前記スタンド溝３３の上端壁との間にはスタンドバネ３５が連結され、前記スタンド板３４の下端には前記スタンド溝３３とスライドできるように連結されるスタンドロッド３７が設けられ、前記スタンドロッド３７の中には手動つかみ孔６４が設けられ、前記第二スライド溝３６の右端壁には送りねじ３８がねじ山による連結され、前記送りねじ３８の右端には回転つまみ３９が設けられ、前記回転つまみ３９を回転させ、前記送りねじ３８を連動させて右に移動させ、前記スタンドロッド３７を飛び出させる。
【００１９】
利用するとき、手で持つ時、モータ５２をオンして羽根軸２２によって羽根２１を回転連動させ、帽子または服上に挟む必要があるとき、サポートロッド２４を引き上げ、次にサポートロッド２４を前方に引張り、同時にプルリング５８によって差し込みブロック５９を後方に引張り、次にプルリング５８を放し、差し込みブロック５９をスロット２８の中にひっかからせ、次にサポートロッド２４を回転させて角度を調整し、手動回しブロック４５を回転させてカム軸４４およびカム４３を回転連動させ、カム４３をブロック３０の間から離れさせ、それから二つ挟み板３１をしっかりと帽子のつばに挟み、カム４３を改めてブロック３０の間の空隙に引っ掛け、スタンドモードを使用するとき、単に挟み板３１を一定の角度に調整し、回転つまみ３９を回転させ、送りねじ３８を連動させて右に移動させ、前記スタンドロッド３７を飛び出させればいい。
【００２０】
本発明の有益な効果は：本発明は、従来の小型ファンが手持ちしか固定できず、単一の機能しか持たないという欠点を克服し、ハンドヘルドモード、スタンドモード、そして服や帽子に固定されるモードがあり、使用者が異なる条件下で異なるモードを切り替えることを便利にするため、本発明が機械の伝動できるような協働により、エラーの可能性を減少する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。